(57)【要約】      （修正有）【課題】取付、交換が容易なたも網及びこれを用いたたもを提供する。【解決手段】たも１を、柄部２と、柄部２の一端に止着された網枠部３と、で形成されるたも本体４と、たも本体４に装着され一方に収容物を投入する開口部６を有するたも網５と、で構成する。開口部６の周縁に、ファスナー８を開閉させて網枠部３を収納する筒状の収納部７を周方向に沿って配設する。帯状の部材１１は、ポリエステル製で帯状に形成されている。帯状の部材１１を、一対の下支持部材９、上支持部材１０間でファスナー８のスライダーの移動方向に直交する方向に長手方向が沿うように配設する。【選択図】図１
0003159921.tif 000002
【実用新案登録請求の範囲】
【請求項１】
柄部と、柄部の一端に止着された網枠部と、を備えるたも本体に装着され、収容物を投入する開口部を有するたも網であって、
該開口部の周縁には、ファスナーを開閉させて該網枠部を収納する筒状の収納部が周方向に沿って配設されていることを特徴とするたも網。
【請求項２】
該ファスナーのスライダーの戻りを防止する移動防止手段を備えていることを特徴とする請求項１記載のたも網。
【請求項３】
該ファスナーは、該ファスナーの務歯の両側で該ファスナーのスライダーの移動方向に沿って一対の支持部材を介して該たも網の網部分と連結され、
該移動防止手段は、該ファスナーのスライダーの移動方向に直交する方向に長手方向が沿うように配設された帯状の部材から形成され、
該帯状の部材は、長手方向の一端を該支持部材の一方に止着され、長手方向の他端を該支持部材の他方に着脱可能に形成されていることを特徴とする請求項２記載のたも網。
【請求項４】
該帯状の部材が、該ファスナーのスライダーの移動方向に直交する方向に折り返されて通路部が形成され、
該通路部が、該ファスナーのスライダーの引き手を挿入可能に形成されていることを特徴とする請求項３記載のたも網。
【請求項５】
該移動防止手段に、ロック機能を有する該ファスナーのスライダーを用いていることを特徴とする請求項２記載のたも網。
【請求項６】
該ファスナーは、コイルファスナーが用いられていることを特徴とする請求項１、２、３、４又は５記載のたも網。
【請求項７】
該たも網の網部分が、ポリエステルで形成されていることを特徴とする請求項１、２、３、４、５又は６記載のたも網。
【請求項８】
請求項１、２、３、４、５、６又は７記載のいずれかのたも網が前記たも本体に装着されたことを特徴とするたも。
【考案の詳細な説明】
【技術分野】
【０００１】
本考案は、取付、交換が容易なたも網及びこれを用いたたもに関するものである。
【背景技術】
【０００２】
従来のうどん調理用たもは、柄部と、柄部の一端に円環状の網枠が止着された網枠部と、を備えるたも本体と、たも本体に装着される綿糸で形成されたたも網と、で構成されていた。たも網の開口部分に取付糸を環状に通し、この取付糸を網枠部に巻き付けてたも網が装着されていた。
【考案の概要】
【考案が解決しようとする課題】
【０００３】
しかし、上記に示す従来のうどん調理用たもは、網部分が破損した場合、新たなたも網を用意して、そのたも網の開口部分に取付糸を環状に通し、この取付糸を網枠部に巻き付けなければならず、交換に時間がかかるという問題があった。
【０００４】
本考案は、上記事情に鑑み、取付、交換が容易なたも網及びこれを用いたたもを提供することを目的とする。
【課題を解決するための手段】
【０００５】
請求項１記載の考案のたも網では、柄部と、柄部の一端に止着された網枠部と、を備えるたも本体に装着され、収容物を投入する開口部を有するたも網であって、
該開口部の周縁には、ファスナーを開閉させて該網枠部を収納する筒状の収納部が周方向に沿って配設されていることを特徴とする。
【０００６】
請求項２記載の考案のたも網では、該ファスナーのスライダーの戻りを防止する移動防止手段を備えていることを特徴とする。
【０００７】
請求項３記載の考案のたも網では、該ファスナーは、該ファスナーの務歯の両側で該ファスナーのスライダーの移動方向に沿って一対の支持部材を介して該たも網の網部分と連結され、該移動防止手段は、該ファスナーのスライダーの移動方向に直交する方向に長手方向が沿うように配設された帯状の部材から形成され、該帯状の部材は、長手方向の一端を該支持部材の一方に止着され、長手方向の他端を該支持部材の他方に着脱可能に形成されていることを特徴とする。
【０００８】
請求項４記載の考案のたも網では、該帯状の部材が、該ファスナーのスライダーの移動方向に直交する方向に折り返されて通路部が形成され、該通路部が、該ファスナーのスライダーの引き手を挿入可能に形成されていることを特徴とする。
【０００９】
請求項５記載の考案のたも網では、該移動防止手段に、ロック機能を有する該ファスナーのスライダーを用いていることを特徴とする。
【００１０】
請求項６記載の考案のたも網では、該ファスナーは、コイルファスナーが用いられていることを特徴とする。
【００１１】
請求項７記載の考案のたもでは、該たも網の網部分が、ポリエステルで形成されていることを特徴とする。
【００１２】
請求項８記載の考案のたもでは、請求項１、２、３、４、５、６又は７記載のいずれかのたも網が前記たも本体に装着されたことを特徴とする。
【考案の効果】
【００１３】
請求項１記載の考案のたも網では、開口部の周縁に、ファスナーを開閉させて網枠部を収納する筒状の収納部を周方向に沿って配設しているので、ファスナーの開閉させることでたも網が着脱可能となるため、たも網の交換が容易である。
【００１４】
請求項２記載の考案のたも網では、ファスナーのスライダーの戻りを防止する移動防止手段を備えている。これにより、たも網の中に重量の重いものが入れられて、ファスナーが開こうとしても移動防止手段により、ファスナーのスライダーの戻りが防止されるので、たも網がたも本体から脱落するのを防止できる。
【００１５】
請求項３記載の考案のたも網では、移動防止手段を、ファスナーのスライダーの移動方向に直交する方向に長手方向が沿うように配設された帯状の部材で形成して、帯状の部材を、長手方向の一端で支持部材の一方に止着して、長手方向の他端で支持部材の他方に着脱可能に形成している。これにより、帯状の部材が、ファスナーのスライダーの戻りを防止するので、たも網がたも本体から脱落するのを防止できる。さらに、帯状の部材の長手方向の他端が着脱可能であるので、ファスナーのスライダーの移動、移動防止の切替えを容易にすることができる。
【００１６】
請求項４記載の考案のたも網では、帯状の部材を、ファスナーのスライダーの移動方向に直交する方向に折り返して通路部となるよう形成して、通路部にファスナーのスライダーの引き手を挿入可能に形成している。これにより、通路部でファスナーの引き手の移動が拘束され、ファスナーのスライダーの移動防止機能が強固なものとなるので、たも網がたも本体から脱落するのを防止できる。
【００１７】
請求項５記載の考案のたも網では、移動防止手段としてロック機能を有するファスナーのスライダーを用いている。これにより、ファスナーのスライダー自体で移動を防止できるので、部品点数、製造工程を減少させることができる。
【００１８】
請求項６記載の考案のたも網では、ファスナーに、コイルファスナーが用いられている。コイルファスナーは、務歯部分が一体形成され容易に欠けないので、例えば、食物を茹でる場合に用いても異物混入することがない。
【００１９】
請求項７記載の考案のたもでは、たも網の網部分を、ポリエステルで形成している。ポリエステルは、水を含みにくいので、網部分が水を含んで重くならないのでたも網がたも本体から脱落するのを防止できる。さらに、熱に強く煮沸等しても有害物質が溶けださず、人体に影響を与えないので調理器具として用いることができる。
【００２０】
請求項８記載の考案のたもでは、たも本体に装着されている、上述した請求項１乃至７記載のうちのいずれかのたも網の効果を奏する。
【図面の簡単な説明】
【００２１】
【図１】本考案の第１の実施形態のたもの斜視図である。
【図２】本考案の第１の実施形態のたもの分解斜視図である。
【図３】図１における収納部を閉じた状態の帯状の部材の周辺の部分拡大図である。
【図４】図１における収納部を開いた状態の帯状の部材の周辺の部分拡大図である。
【図５】図１におけるＦ−Ｆ部位の断面図である。
【図６】本考案の第１の実施形態のたもの（ａ）通路部に引き手が入った状態の部分拡大図である。（ｂ）（ａ）におけるＨ−Ｈ部位の断面図である。
【図７】本考案の第１の実施形態のたもの変形例の斜視図である。
【図８】本考案の第２の実施形態のたものファスナーのスライダーをロックした状態図である。
【図９】本考案の第２の実施形態のたものファスナーのスライダーをロック解除した状態図である。
【図１０】本考案の第３の実施形態のたものファスナーのスライダーをロックした状態図である。
【図１１】本考案の第３の実施形態のたものファスナーのスライダーをロック解除した状態図である。
【考案を実施するための形態】
【００２２】
本考案のたもの第１の実施形態について図面に基づいて説明する。本実施形態では、うどんを茹でる時に用いるうどん用たもについて詳述する。なお、以下の説明では、後述する開口部６側を上とし、その反対側を下側とする。
【００２３】
図１、２に示すように、たも１は、柄部２と、柄部２の一端に止着された網枠部３と、で形成されるたも本体４と、たも本体４に装着されるたも網５と、を備えて構成されている。
【００２４】
柄部２は、図１、２に示すように、木製で手で把持可能な円柱状に形成されている。
【００２５】
網枠部３は、図１、２に示すように、金属製の棒材を円環状に形成して、柄部２の一方の端部に止着されている。
【００２６】
図２に示すように、柄部２と、網枠部３と、でたも本体４が形成されている。
【００２７】
たも網５はその網部分５１が、ポリエステル製の３００乃至５００デニールの強力糸により無結節網に形成されている。たも網５は、図１、２に示すように、シームレスで袋状に形成され、一方に収容物を投入する開口部６を有している。
【００２８】
開口部６の周縁には、図１、２、５に示すように、ファスナー８を開閉させて網枠部３を収納する筒状の収納部７が周方向に沿って配設されている。
【００２９】
ファスナー８は、図３、４に示すように、務歯（エレメント）８４が合成樹脂のモノフィラメントをコイル状に形成したコイルファスナーが用いられている。ファスナー８は、ファスナー８の務歯８４の両側部分のテープ８８でファスナー８のスライダー８１の移動方向に沿って一対の下支持部材９、上支持部材１０を介してたも網５の網部分５１と連結されている。
【００３０】
下支持部材９は、図３、４に示すように、ポリエステル製で帯状に形成されている。
【００３１】
下支持部材９は、図５に示すように、袋状に形成されたたも網５の上端縁から所定の長さだけ下に下がった部分を周方向に沿って折り曲げて縫い代７１を形成して、縫い代７１を上方向に折り曲げ、図３、４、５に示すように、縫い代７１を挟み込んでファスナー８のスライダー８１の移動方向に沿って縫合して形成されている。図４に示すように、下支持部材９の後述する帯状の部材１１に装着される止着部材１２２に対応する位置には、止着部材１２１が装着されている。
【００３２】
上支持部材１０は、図３、４に示すように、ポリエステル製で帯状に形成されている。図３、４、５に示すように、上支持部材１０は、たも網５の上端縁を挟み込んで下端部で、ファスナー８のスライダー８１の移動方向に沿って縫合して形成されている。
【００３３】
帯状の部材１１は、ポリエステル製で帯状に形成されている。図３に示すように、帯状の部材１１は、一対の下支持部材９、上支持部材１０のファスナー８の上止め８２から下止め８５側にファスナー８のスライダー８１を少し戻させた位置に、ファスナー８のスライダー８１の移動方向に直交する方向に長手方向が沿うように配設されている。帯状の部材１１は、図６（ａ）、（ｂ）に示すように、短手方向に折り返されて通路部１３が形成され、ファスナー８のスライダー８１の引き手８３を挿入可能に形成されている。帯状の部材１１は、図３に示すように、長手方向の一端を上支持部材１０に止着されている。帯状の部材１１の長手方向の他端には、図４に示すように、下支持部材９に装着された止着部材１２１と着脱可能な止着部材１２２が装着されている。
【００３４】
本考案のたも網の第１の実施形態におけるたも網５の取付方法を説明する。
【００３５】
図２に示すように、たも網５の収納部７をファスナー８を用いて開放させる。開放させた収納部７に、柄部２が、図３、４における、ファスナー８の上止め８２と下止め８５との間付近に配置されるようにして、図５に示すように、たも本体４の網枠部３を配置して、収納部７をファスナー８を用いて閉塞させる。ファスナー８のスライダー８１を上止め８２まで移動させたら、図３に示すように、帯状の部材１１を止着部材１２１、１２２で下支持部材９に止着する。さらに、図６（ａ）、（ｂ）に示すように、ファスナー８のスライダー８１の引き手８３を通路部１３に挿入する。
【００３６】
本考案の第１の実施形態のたもでは、開口部６の周縁に、ファスナー８を開閉させて網枠部３を収納する筒状の収納部７を周方向に沿って配設しているので、ファスナー８の開閉させることでたも網５が着脱可能となるため、たも網５の交換が容易である。
【００３７】
また、ファスナー８のスライダー８１の移動防止手段を、ファスナー８のスライダー８１の移動方向に直交する方向に長手方向が沿うように配設された帯状の部材１１で形成して、帯状の部材１１を、長手方向の一端で上支持部材１０に止着して、長手方向の他端で下支持部材９に着脱可能に形成している。これにより、帯状の部材１１が、ファスナー８のスライダー８１の下止め８５側への戻りを防止するので、たも網５がたも本体４から脱落するのを防止できる。さらに、帯状の部材１１の長手方向の他端が着脱可能であるので、ファスナー８のスライダー８１の移動、移動防止の切替えを容易にすることができる。
【００３８】
また、帯状の部材１１を、ファスナー８のスライダー８１の移動方向に直交する方向に折り返して通路部１３となるよう形成して、通路部１３にファスナー８のスライダー８１の引き手８３を挿入可能に形成している。これにより、通路部１３でファスナー８の引き手８３の移動が拘束され、ファスナー８のスライダー８１の移動防止機能が強固なものとなるので、たも網５がたも本体４から脱落するのを防止できる。
【００３９】
また、ファスナー８に、コイルファスナーが用いられている。コイルファスナーは、エレメント部分が一体形成され容易に欠けないので、例えば、食物を茹でる場合に用いても異物混入することがない。
【００４０】
また、たも網５の網部分５１を、ポリエステルで形成している。ポリエステルは、水を含みにくいので、網部分５１が水を含んで重くならないのでたも網５がたも本体４から脱落するのを防止できる。さらに、熱に強く煮沸等しても有害物質が溶けださず、人体に影響を与えないので調理器具として用いることができる。
【００４１】
本実施形態の変形例として、図７に示すように、たも１Ａは、網枠部３Ａを金属製の棒材を矩形状に形成している。例えば、茹で調理器具の開口部分の形状が矩形状である場合には、スペースの無駄を省くことができる。また、網枠部３Ａ周方向の長さと収納部７の周方向の長さを揃えれば、三角、五角形等の多角形状や星形等の形状に形成することができる。
【００４２】
本考案のたもの第２の実施形態について説明する。以下の説明以外の構成は第１の実施形態と、同様のものとする。
【００４３】
たも１Ｂでは、ファスナー８Ｂのスライダー８１Ｂの移動防止手段として帯状の部材１１を用いずに、ロック機能付きのスライダー８１Ｂを用いている。
【００４４】
スライダー８１Ｂは、図８、９に示すように、一方の端部でカバー８６Ｂと連結されている。カバー８６Ｂは、スライダー８１Ｂ内を挿通して務歯８４Ｂと係合する係止片８７Ｂを有している。
【００４５】
スライダー８１Ｂは、図８に示すように、引き手８３Ｂでカバー８６Ｂを持ち上げない状態では、務歯８４Ｂと係止片８７Ｂとが係合しているので移動しない。図９に示すように、引き手８３Ｂを引き上げてカバー８６Ｂを持ち上げた状態では、務歯８４Ｂと係止片８７Ｂとの係合が解除されるので、移動可能となる。
【００４６】
本考案の第２の実施形態のたも１Ｂでは、移動防止手段としてロック機能を有するファスナー８Ｂのスライダー８１Ｂを用いている。これにより、たも網５の交換が容易であるという効果に加え、ファスナー８Ｂのスライダー８１Ｂ自体で移動を防止できるので、部品点数、製造工程を減少させることができる。
【００４７】
本考案のたもの第３の実施形態について説明する。以下の説明以外の構成は第１の実施形態と、同様のものとする。
【００４８】
たも１Ｃでは、ファスナー８Ｃのスライダー８１Ｃの移動防止手段として帯状の部材１１を用いずに、ロック機能付きのスライダー８１Ｃ（ＹＫＫ社製のオートマチックロックスライダー）を用いている。
【００４９】
スライダー８１Ｃは、図１０、１１に示すように、内部に係止爪付きばね材１４を収納可能なカバー８６Ｃと連結されている。
【００５０】
係止爪付きばね材１４は、弾性を有する板材からなり、略Ｕ字状に形成されカバー８６Ｃ内に収納されるスプリング部１４１と、スライダー８１Ｃ内を挿通して務歯８４Ｃと係合する係止爪部１４２と、スプリング部１４１と係止爪部１４２とを連結する作動用部１４３とで構成されている。
【００５１】
スライダー８１Ｃは、図１０に示すように、引き手８３Ｃで作動用部１４３を上昇させない状態では、スプリング部１４１が、係止爪部１４２を務歯８４Ｃ側に付勢しているので、務歯８４Ｃと係止爪部１４２とが係合して移動しない。また、図９に示すように、引き手８３Ｃを引き上げて作動用部１４３を上昇させると、それにともない係止爪部１４２が引き上げられるので、務歯８４Ｃと係止片８７ｃとの係合が解除され、スライダー８１Ｃは、移動可能となる。
【００５２】
本考案の第３の実施形態のたも１Ｃでは、移動防止手段としてロック機能を有するファスナー８Ｃのスライダー８１Ｃを用いている。これにより、たも網５の交換が容易であるという効果に加え、ファスナー８Ｃのスライダー８１Ｃ自体で移動を防止できるので、部品点数、製造工程を減少させることができる。
【００５３】
いずれの実施形態においても、柄部２は、木製のものを用いているが、これにはこだわらない。耐熱性を有する合成樹脂で形成してもよい。
【００５４】
また、網枠部３、３Ａにおいても、金属製のものが用いられているが、耐熱性を有する合成樹脂で形成してもよい。
【００５５】
また、たも網５の網部分５１は、熱に強く煮沸等しても有害物質が溶けださず、人体に影響を与えない性質をもつ合成樹脂で形成することができる。網部分５１は、結節網等の総ての既存のものを用いることができる。
【００５６】
また、ファスナー８、８Ｂは、熱に強く煮沸等しても有害物質が溶けださず、人体に影響を与えない部材で形成されていれば、総ての既存のものを用いることができる。
【００５７】
さらに、スライダー８１Ｂのロック機能については、本実施形態にこだわらない。例えば、ピンロック、ロールストップ等の既存の総てのものを用いることができる。
【００５８】
上述した実施形態では、うどんを茹でる時に用いるうどん用たもについて説明したが、昆虫捕集用網や、魚捕り用のたもに本願考案のたも網を用いることができる。
【符号の説明】
【００５９】
１、１Ａ、１Ｂ、１Ｃ  たも
２  柄部
３、３Ａ  網枠部
４  たも本体
５  たも網
６  開口部
７  収納部
８、８Ｂ、８Ｃ  ファスナー
８１、８１Ｂ、８１Ｃ  スライダー
８３、８３Ｂ、８３Ｃ  引き手
８４、８４Ｃ、８４Ｃ  務歯
９  下支持部材
１０  上支持部材
１１  帯状の部材
１２  通路部
１４  係止爪付きばね材
１４１スプリング部
１４２  係止爪部
１４３  作動用部
【図１】
0003159921.tif 000003
【図２】
0003159921.tif 000004
【図３】
0003159921.tif 000005
【図４】
0003159921.tif 000006
【図５】
0003159921.tif 000007
【図６】
0003159921.tif 000008
【図７】
0003159921.tif 000009
【図８】
0003159921.tif 000010
【図９】
0003159921.tif 000011
【図１０】
0003159921.tif 000012
【図１１】
0003159921.tif 000013